(57)【要約】【課題】小型化を可能とし、かつ、フェライトの取付け位置のズレによるノイズ除去性能の低下を防止することによって通信信頼性を確保することができる多重通信用コネクタを提供すること。【解決手段】一対の貫通孔４１が形成され、かつ、外周面に収容方向奥側端面に向けて先細りとなるように傾斜面４０ａが形成されたテーパ状の複数のフェライト４０と、傾斜面４０ａに対応して傾斜面３４ａが形成された複数のフェライト収容部３３と、コネクタ嵌合部２１に一対の貫通孔４１を通して突出される一対のタブ状端子５１の各タブ状端子５１を複数のフェライト収容部３３の並び方向で連結する端子連結部５２を有する一対のバスバー５０のそれぞれの端子連結部５２を固定する一対の端子固定部３７と、を有するリアカバー３０と、コネクタ嵌合部２１と、複数のフェライト４０を収容方向に押圧する押圧面２３ａと、を有するハウジング本体２０と、を有する。【選択図】図２
2020047366.tif 000002
【特許請求の範囲】
【請求項１】
一対の貫通孔が形成され、かつ、外周面に収容方向奥側端面に向けて先細りとなるように傾斜面が形成されたテーパ状の複数のフェライトと、
前記傾斜面に対応して入り口開口が拡大されるように内壁面に収容部側傾斜面が形成されて前記複数のフェライトがそれぞれ収容される複数のフェライト収容部と、相手コネクタとの嵌合部分となるコネクタ嵌合部に前記一対の貫通孔を通して突出される一対のタブ状端子の各タブ状端子を前記複数のフェライト収容部の並び方向で連結する端子連結部を有する一対のバスバーのそれぞれの前記端子連結部を固定する一対の端子固定部と、を有するリアカバーと、
前記コネクタ嵌合部と、前記リアカバーが後部に組み付けられた状態で前記複数のフェライト収容部に収容された前記複数のフェライトを前記複数のフェライト収容部への収容方向に押圧することによって、前記複数のフェライトの前記傾斜面を対応する前記複数のフェライト収容部の前記収容部側傾斜面に当接させた状態で固定する押圧面と、を有するハウジング本体と、
を有することを特徴とする多重通信用コネクタ。
【請求項２】
前記複数のフェライト収容部は、
前記フェライトが前記押圧面によって収容方向に押圧された状態で前記フェライト収容部の奥壁の面に突き当てられることなく、前記傾斜面を前記収容部側傾斜面に当接させた状態で固定されるように機能する逃げ空間部
を有することを特徴とする請求項１に記載の多重通信用コネクタ。
【請求項３】
前記端子連結部は、
板状をなし、
前記一対の端子固定部の各端子固定部は、
前記端子連結部が挿入される部分となる前記連結部挿入凹部と、
前記連結部挿入凹部の対向する内側面に設けられ、該連結部挿入凹部に挿入された前記端子連結部を挟持する少なくとも一対のリブと、
を有することを特徴とする請求項１または２に記載の多重通信用コネクタ。
【発明の詳細な説明】
【技術分野】
【０００１】
本発明は、ノイズ除去機能を有する多重通信用コネクタに関する。
【背景技術】
【０００２】
従来、車両に搭載された複数の電装品を通信によって制御するために配策される通信線の接続に多重通信用コネクタが用いられる。
この多重通信用のコネクタは、コネクタハウジング内にノイズを除去するための磁性体としてフェライトが内部に配置されるようになっている。
【０００３】
例えば、特許文献１には、第一のハウジングの後部に組み付けられる第二のハウジングに、第一のハウジングに設けられた複数のコネクタ嵌合部に対応した位置で複数のフェライトを各フェライトに対して一対ずつ設けられた付勢アームによって保持した多重通信用のコネクタが記載されている。
【先行技術文献】
【特許文献】
【０００４】
【特許文献１】特開２０１２−６９２７０号公報
【発明の概要】
【発明が解決しようとする課題】
【０００５】
しかしながら、特許文献１に記載された多重通信用のコネクタは、一対の付勢アームがフェライトの両側面からフェライトを付勢して保持するようになっているので、第二のハウジングの寸法が一対の付勢アームの対向方向で大きくなり、コネクタ全体として大型化してしまう問題がある。
また、特許文献１に記載された多重通信用のコネクタは、付勢アームの弾性変形または寸法交差によってフェライトの取付け位置にズレが発生し、フェライトの貫通穴に端子が接触しフェライトが摩耗することによってノイズ除去性能が低下し、結果的に、通信信頼性が低下してしまう問題がある。
【０００６】
本発明は、上記に鑑みてなされたものであって、小型化を可能とし、かつ、フェライトの取付け位置のズレによるノイズ除去性能の低下を防止することによって通信信頼性を確保することができる多重通信用コネクタを提供することを目的とする。
【課題を解決するための手段】
【０００７】
上述した課題を解決し、目的を達成するために、本発明に係る多重通信用コネクタは、一対の貫通孔が形成され、かつ、外周面に収容方向奥側端面に向けて先細りとなるように傾斜面が形成されたテーパ状の複数のフェライトと、前記傾斜面に対応して入り口開口が拡大されるように内壁面に収容部側傾斜面が形成されて前記複数のフェライトがそれぞれ収容される複数のフェライト収容部と、相手コネクタとの嵌合部分となるコネクタ嵌合部に前記一対の貫通孔を通して突出される一対のタブ状端子の各タブ状端子を前記複数のフェライト収容部の並び方向で連結する端子連結部を有する一対のバスバーのそれぞれの前記端子連結部を固定する一対の端子固定部と、を有するリアカバーと、前記コネクタ嵌合部と、前記リアカバーが後部に組み付けられた状態で前記複数のフェライト収容部に収容された前記複数のフェライトを前記複数のフェライト収容部への収容方向に押圧することによって、前記複数のフェライトの前記傾斜面を対応する前記複数のフェライト収容の前記収容部側傾斜面に当接させた状態で固定する押圧面と、を有するハウジング本体と、を有することを特徴とする。
【０００８】
また、本発明に係る多重通信用コネクタは、上記の発明において、前記複数のフェライト収容部は、前記フェライトが前記押圧面によって収容方向に押圧された状態で前記フェライト収容部の奥壁の面に突き当てられることなく、前記傾斜面を前記収容部側傾斜面に当接させた状態で固定されるように機能する逃げ空間部を有することを特徴とする。
【０００９】
また、本発明に係る多重通信用コネクタは、上記の発明において、前記端子連結部は、板状をなし、前記一対の端子固定部の各端子固定部は、前記端子連結部が挿入される部分となる前記連結部挿入凹部と、前記連結部挿入凹部の対向する内側面に設けられ、該連結部挿入凹部に挿入された前記端子連結部を挟持する少なくとも一対のリブと、を有することを特徴とする。
【発明の効果】
【００１０】
本発明に係る多重通信用コネクタは、前記複数のフェライトが収容方向奥側端面に向けて先細りのテーパ状となるように外周面に形成された前記傾斜面を、前記リアカバーの前記複数のフェライト収容部の内壁面に形成された前記収容部側傾斜面に前記ハウジング本体の前記押圧面によって前記複数のフェライトを収容方向に押圧し、前記傾斜面と前記収容部側傾斜面、さらには、前記押圧面による面同士の当接関係によるコンパクトな構成で前記複数のフェライトを前記複数のフェライト収容部に固定することができる。
また、本発明に係る多重通信用コネクタは、前記複数のフェライトが、テーパ状の前記傾斜面を前記収容部側傾斜面に当接させた状態で固定されることによって、前記複数のフェライトの前記貫通孔の中心と、該貫通孔に挿通されている前記タブ状端子の中心とが一致した状態となるので、前記複数のフェライトの前記貫通孔にタブ状端子が接触し前記フェライトが摩耗することを防ぐことができる。
このため、本発明に係る多重通信用コネクタは、小型化を可能とし、かつ、フェライトの取付け位置のズレによるノイズ除去性能の低下を防止することによって通信信頼性を確保することができる。
【図面の簡単な説明】
【００１１】
【図１】図１は、本発明の実施例に係る多重通信用コネクタの分解断面図である。
【図２】図２は、本発明の実施例に係る多重通信用コネクタの断面図である。
【図３】図３は、図２に示した多重通信用コネクタのＡ−Ａ線断面図である。
【図４】図４は、多重通信用コネクタの組立手順を説明するための図である。
【図５】図５は、図４に示した多重通信用コネクタの組立手順をＡ−Ａ線断面で示した図である。
【図６】図６は、（ａ）が変形例の多重通信用コネクタのリアカバーを前面側から視た図であり、（ｂ）が端子固定部の要部拡大図である。
【図７】図７は、（ａ）が端子固定部の要部拡大図であり、（ｂ）が（ａ）に示した端子固定部にバスバーの端子連結部が固定された状態を示した図である。
【図８】図８は、端子固定部が図７のＡ−Ａ線断面図に対応し、（ａ）が端子固定部の要部拡大図でありバスバーが固定される前の状態を示した図であり、（ｂ）が（ａ）に示した端子固定部にバスバーの端子連結部が固定された状態を示した図である。
【発明を実施するための形態】
【００１２】
以下、図面を参照して、本発明に係る多重通信用コネクタの好適な実施例を詳細に説明する。
【実施例】
【００１３】
図１は、本発明の実施例に係る多重通信用コネクタ１の分解断面図である。図２は、本発明の実施例に係る多重通信用コネクタ１の断面図である。図３は、図２に示した多重通信用コネクタ１のＡ−Ａ線断面図である。図４は、多重通信用コネクタ１の組立手順を説明するための図である。図５は、図４に示した多重通信用コネクタ１の組立手順をＡ−Ａ線断面で示した図である。
本発明の実施例に係る多重通信用コネクタ１は、例えば、車両に搭載された複数の電装品を通信によって制御するために配策される通信線の接続に用いられるものである。
【００１４】
多重通信用コネクタ１は、コネクタハウジング１０と、コネクタハウジング１０の内部に組み込まれる複数のフェライト４０と、一対のバスバー５０と、を有する。
【００１５】
まず、フェライト４０について説明する。
フェライト４０は、ブロック状の磁性体であり、一対の貫通孔４１が形成され、かつ、外周面に収容方向奥側端面に向けて先細りとなるように傾斜面４０ａ、４０ｂ、４０ｃ、４０ｄが形成されたテーパ状になっている。
このフェライト４０は、一対の貫通孔４１に一対のバスバー５０の後述する一対のタブ状端子５１が挿通されるように形成されている。
各貫通孔４１は、貫通孔４１の中心と、貫通孔４１に挿通されているタブ状端子５１の中心とが一致した状態になっていれば、孔内壁面に対してタブ状端子が僅かな隙間を有して挿通されるように孔内径が設定されている。
このため、フェライト４０の一対の貫通孔４１の各貫通孔４１の中心と、各貫通孔４１に挿通されているタブ状端子５１の中心とが一致した状態になっていれば、タブ状端子５１が貫通孔４１の孔内壁面に接触することによってフェライト４０が摩耗することがない。
【００１６】
この実施例では、フェライト４０は、収容方向に直交する断面形状が略矩形状をなし、一対の貫通孔４１の並び方向の両面で対称的に形成された一対の傾斜面４０ａ、４０ｂと、一対の貫通孔４１の並び方向に直交する方向の両面で対称的に形成された一対の傾斜面４０ｃ、４０ｄとで外周面を形成することによってテーパ状になっている。
【００１７】
なお、フェライト４０は、この実施例に示した形状に限定されず、外周面に収容方向奥側端面に向けて先細りとなるように傾斜面が形成されたテーパ状になっていればその他の形状であっても構わない。
【００１８】
次に、一対のバスバー５０について説明する。
一対のバスバー５０の各バスバー５０は、板状の導電部材にプレス加工等を施すことによって成形されたものである。
各バスバー５０は、複数のタブ状端子５１と、複数のタブ状端子５１を連結する端子連結部５２と、を有する。
【００１９】
一対のバスバー５０は、各端子連結部５２が、不図示の相手コネクタとの嵌合部分となる後述するコネクタ嵌合部２１にフェライト４０の一対の貫通孔４１を通して突出される一対のタブ状端子５１の各タブ状端子５１を後述する複数のフェライト収容部３３の並び方向で連結する向きで後述のリアカバー３０に固定されるようになっている。
【００２０】
次に、コネクタハウジング１０について説明する。
コネクタハウジング１０は、合成樹脂等の絶縁材からなり、本体部分となるハウジング本体２０と、ハウジング本体２０の後部に組み付けられるリアカバー３０と、を有する。
【００２１】
ハウジング本体２０は、相手コネクタとの嵌合部分となるコネクタ嵌合部２１と、リアカバー３０が後部に組み付けられた状態でリアカバー３０の複数のフェライト収容部３３に収容された複数のフェライト４０を複数のフェライト収容部３３への収容方向に押圧することによって、複数のフェライト４０の傾斜面４０ａ、４０ｂ、４０ｃ、４０ｄを対応する複数のフェライト収容部３３の収容部側傾斜面３４ａ、３４ｂ、３４ｃ、３４ｄに当接させた状態で固定するる押圧面２３ａが形成された押圧壁部２３と、リアカバー３０が組み付け完了された状態でリアカバー３０の係合部３２が係合される被係合部２４と、を有する。
【００２２】
コネクタ嵌合部２１は、相手コネクタが嵌入される嵌入空間２１ａが形成されたフード状をなし、嵌入空間２１ａの底面を形成する底壁２２に一対のバスバー５０の各タブ状端子５１が貫通される複数の貫通孔２２ａが形成されている。
このコネクタ嵌合部２１は、底壁２２から嵌入空間２１ａに向けて一対のバスバー５０の各タブ状端子５１が突出されるようになっている。
【００２３】
押圧壁部２３は、嵌入空間２１ａの底面を形成する底壁２２の一部であり、リアカバー３０が組み付けられることによって複数のフェライト収容部３３の収容口が対峙される側の面が複数のフェライト収容部３３に収容された複数のフェライト４０をフェライト収容部３３への収容方向に押圧する押圧面２３ａになっている。
【００２４】
被係合部２４は、図３に示すように、ハウジング本体２０の後部の外面に突設されている。
【００２５】
リアカバー３０は、ハウジング本体２０の後部が嵌め合わされる部分となる組み付け用嵌合部３１と、複数のフェライト４０がそれぞれ収容される複数のフェライト収容部３３（図５（ａ）参照）と、一対のバスバー５０のそれぞれの端子連結部５２を固定する一対の端子固定部３７（図１参照）と、を有する。
【００２６】
組み付け用嵌合部３１は、ハウジング本体２０の後部の外面に嵌め合うように被さる部分であり、端部内面にハウジング本体２０の被係合部２４に係合する係合部３２が突設されている。
なお、係合部３２の周辺は薄肉部分（図３参照）になっており、係合部３２が被係合部２４をのり越えて係合完了位置に移動され易いように、この薄肉部分が外側に弾性的に撓み易くなっている。
【００２７】
フェライト収容部３３は、フェライト４０の傾斜面４０ａ、４０ｂ、４０ｃ、４０ｄに対応して入り口開口が拡大されるように内壁面に傾斜面（以下、フェライトの傾斜面と区別するため「収容部側傾斜面」という。）が形成されたテーパ対応傾斜面部３４と、フェライト収容部３３の収容空間の底壁にフェライト４０が突き当てられないように形成された逃げ空間部３５と、を有する。
【００２８】
テーパ対応傾斜面部３４は、一対の貫通孔４１の並び方向の両面で対称的に形成されたフェライト４０の一対の傾斜面４０ａ、４０ｂに対応した一対の収容部側傾斜面３４ａ、３４ｂと、一対の貫通孔４１の並び方向に直交する方向の両面で対称的に形成されたフェライトの一対の傾斜面４０ｃ、４０ｄに対応した一対の収容部側傾斜面３４ｃ、３４ｄと、を有する。
【００２９】
逃げ空間部３５は、フェライト４０ｄの各傾斜面４０ａ、４０ｂ、４０ｃ、４０ｄが対応する収容部側傾斜面３４ａ、３４ｂ、３４ｃ、３４ｄに当接された状態で、フェライト４０の収容方向側端面とフェライト収容部３３の収容方向で最も奥側の壁となる奥壁の面３６との間に隙間を形成するように設けた部分である。
【００３０】
この逃げ空間部３５は、フェライト４０が押圧面２３ａによって収容方向に押圧された状態でフェライト収容部３３の奥壁の面３６に突き当てられることなく、傾斜面４０ａ、４０ｂ、４０ｃ、４０ｄを収容部側傾斜面３４ａ、３４ｂ、３４ｃ、３４ｄに当接させた状態で固定されるように機能する。
【００３１】
このような逃げ空間部３５が設けられることによって、フェライト４０の各傾斜面４０ａ、４０ｂ、４０ｃ、４０ｄと、フェライト収容部３３の各収容部側傾斜面３４ａ、３４ｂ、３４ｃ、３４ｄとの当接関係によるフェライト４０の位置決め固定が可能になっている。
なお、フェライト４０の位置決め固定について、より具体的に説明すると、フェライト４０の一対の貫通孔４１の並び方向（図２中、矢印Ｚで示す方向）、および、フェライト４０の一対の貫通孔４１の並び方向に直交する方向（図３中、矢印Ｙで示す方向）でフェライト４０が位置決め固定される。
【００３２】
一対の端子固定部３７は、一対のバスバー５０の各端子連結部５２が圧入される凹部であり、フェライト収容部３３の奥壁の面３６に、複数のフェライト収容部３３の並び方向に沿って直線状に形成されている。
【００３３】
次に、図４および図５を用いて多重通信用コネクタ１の組立手順を説明する。
まず、作業者は、一対のバスバー５０をリアカバー３０に取り付ける（図４（ａ）、図４（ｂ）、図５（ａ）、図５（ｂ）参照）。
より具体的には、作業者は、一対のバスバー５０の各端子連結部５２をリアカバー３０の対応するそれぞれの端子固定部３７に圧入して固定する。
【００３４】
次に、作業者は、複数のフェライト４０をリアカバー３０の複数のフェライト収容部３３にそれぞれ収容する（図４（ｃ）、図５（ｃ）参照）。
より具体的には、作業者は、各フェライト４０の先細り側の端部をフェライト収容部３３の収容口に向けた状態で、リアカバー３０に取り付け完了された一対のバスバー５０のそれぞれのタブ状端子５１を各フェライト４０の一対の貫通孔４１に挿通しつつ、各フェライト４０をテーパ対応傾斜面部３４に配置する。
このようにしてテーパ対応傾斜面部３４に配置された各フェライト４０は傾斜面４０ａ、４０ｂ、４０ｃ、４０ｄが収容部側傾斜面３４ａ、３４ｂ、３４ｃ、３４ｄに当接された状態でフェライト収容部３３内に収容される。
各フェライト４０は、このような状態でフェライト収容部３３内に収容されると、一対の貫通孔４１の並び方向（図２中、矢印Ｚで示す方向）、および、一対の貫通孔４１の並び方向に直交する方向（図３中、矢印Ｙで示す方向）で位置決めされるため、フェライト４０の一対の貫通孔４１の各貫通孔４１の中心と、各貫通孔４１に挿通されているタブ状端子５１の中心とが一致した状態になる。
【００３５】
最後に、作業者は、リアカバー３０をハウジング本体２０の後部に組み付けることによって多重通信用コネクタ１の組み立てを完了する（図４（ｄ）、図５（ｄ）参照）。
より具体的には、ハウジング本体２０の後部とリアカバー３０の組み付け用嵌合部３１とを嵌め合わせつつ、ハウジング本体２０の被係合部２４にリアカバー３０の係合部３２を係合させる。
このようにしてリアカバー３０をハウジング本体２０の後部に組み付ける際、ハウジング本体２０の押圧面２３ａが複数のフェライト４０をフェライト収容部３３への収容方向に押圧するので、複数のフェライト４０は傾斜面４０ａ、４０ｂ、４０ｃ、４０ｄを収容部側傾斜面３４ａ、３４ｂ、３４ｃ、３４ｄに当接された状態で対応するフェライト収容部３３内に完全に固定される。
これにより、フェライト４０の一対の貫通孔４１の各貫通孔４１の中心と、各貫通孔４１に挿通されているタブ状端子５１の中心とが一致した状態で複数のフェライト４０が各フェライト収容部３３内に完全に固定される。
【００３６】
本発明の実施例に係る多重通信用コネクタ１は、複数のフェライト４０が収容方向奥側端面に向けて先細りのテーパ状となるように外周面に形成された傾斜面４０ａ、４０ｂ、４０ｃ、４０ｄを、リアカバー３０の複数のフェライト収容部３３の内壁面に形成された収容部側傾斜面３４ａ、３４ｂ、３４ｃ、３４ｄにハウジング本体２０の押圧面２３ａによって複数のフェライト４０を収容方向に押圧し、傾斜面４０ａ、４０ｂ、４０ｃ、４０ｄと収容部側傾斜面３４ａ、３４ｂ、３４ｃ、３４ｄ、さらには、押圧面２３ａによる面同士の当接関係によるコンパクトな構成で複数のフェライト４０を複数のフェライト収容部３３に固定することができる。
また、本発明の実施例に係る多重通信用コネクタ１は、複数のフェライト４０が、テーパ状の傾斜面４０ａ、４０ｂ、４０ｃ、４０ｄを収容部側傾斜面３４ａ、３４ｂ、３４ｃ、３４ｄに当接させた状態で固定されることによって、複数のフェライト４０の貫通孔４１の中心と、該貫通孔４１に挿通されているタブ状端子５１の中心とが一致した状態となるので、複数のフェライト４０の貫通孔４１にタブ状端子５１が接触しフェライト４０が摩耗することを防ぐことができる。
このため、本発明の実施例に係る多重通信用コネクタ１は、小型化を可能とし、かつ、フェライト４０の取付け位置のズレによるノイズ除去性能の低下を防止することによって通信信頼性を確保することができる。
【００３７】
また、本発明の実施例に係る多重通信用コネクタ１は、複数のフェライト収容部３３がフェライト４０が押圧面２３ａによって収容方向に押圧された状態でフェライト収容部３３の奥壁の面に突き当てられることなく、傾斜面４０ａ、４０ｂ、４０ｃ、４０ｄを収容部側傾斜面３４ａ、３４ｂ、３４ｃ、３４ｄに当接させた状態で固定されるように機能する逃げ空間部３５を有するため、複数のフェライト４０の傾斜面４０ａ、４０ｂ、４０ｃ、４０ｄを確実に収容部側傾斜面３４ａ、３４ｂ、３４ｃ、３４ｄに当接させた状態で各フェライト収容部３３へ固定することができる。
【００３８】
（変形例）
【００３９】
次に、図６−図８を用いて本発明の実施例に係る多重通信用コネクタ１の変形例の多重通信用コネクタ２について説明する。
図６は、（ａ）が変形例の多重通信用コネクタ２のリアカバー３０を前面側から視た図であり、（ｂ）が端子固定部３８の要部拡大図である。図７は、（ａ）が端子固定部３８の要部拡大図であり、（ｂ）が（ａ）に示した端子固定部３８にバスバー５０の端子連結部５２が固定された状態を示した図である。図８は、端子固定部３８が図７のＡ−Ａ線断面図に対応し、（ａ）が端子固定部３８の要部拡大図でありバスバー５０が固定される前の状態を示した図であり、（ｂ）が（ａ）に示した端子固定部３８にバスバー５０の端子連結部５２が固定された状態を示した図である。
【００４０】
この変形例の多重通信用コネクタ２は、端子固定部３８がバスバー５０の端子連結部５２を一対のリブ３８ｂによって挟持するようになっている点で、実施例の多重通信用コネクタ１と異なる。
なお、その他の構成は実施例と同様であり、実施例と同一構成部分には同一符号を付し、その説明を省略する。
【００４１】
変形例の多重通信用コネクタ２は、一対の端子固定部３８の各端子固定部３８が、端子連結部５２を挿入する部分となる連結部挿入凹部３８ａと、連結部挿入凹部３８ａの対向する内側面に設けられ、連結部挿入凹部３８ａに挿入された端子連結部５２を挟持する２組の対となるリブ３８ｂと、を有する。
【００４２】
各バスバー５０は、端子連結部５２が対向する一対のリブ３８ｂを均等に押し潰しながら連結部挿入凹部３８ａに挿入されることによって、一対のリブ３８ｂに挟持された状態でリアカバー３０に固定される。
【００４３】
このように、均等に押しつぶされた一対のリブ３８ｂに挟持された状態でリアカバー３０に固定されることによって、端子連結部５２は、リブ３８ｂの突出方向、換言すれば、複数のフェライト収容部３３の並び方向に直交する方向であり、フェライト収容部３３に収容されたフェライト４０の一対の貫通孔４１の並び方向（図６中、矢印Ｚで示す方向）で位置決め固定される。
【００４４】
この変形例の多重通信用コネクタ２は、実施例の多重通信用コネクタ１と同様の効果を奏するとともに、一対のバスバー５０を複数のフェライト収容部３３の並び方向に直交する方向であり、フェライト収容部３３に収容されたフェライト４０の一対の貫通孔４１の並び方向（図６中、矢印Ｚで示す方向）で位置決め固定することができる。
【００４５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４６】
１、２      多重通信用コネクタ
１０        コネクタハウジング
２０        ハウジング本体
２１        コネクタ嵌合部
２１ａ      嵌入空間
２２        底壁
２２ａ      貫通孔
２３        押圧壁部
２３ａ      押圧面
２４        被係合部
３０        リアカバー
３１        組み付け用嵌合部
３２        係合部
３３        フェライト収容部
３４        テーパ対応傾斜面部
３４ａ、３４ｂ、３４ｃ、３４ｄ  収容部側傾斜面
３５        逃げ空間部
３６        奥壁の面
３７、３８  端子固定部
３８ａ      連結部挿入凹部
３８ｂ      リブ
４０        フェライト
４０ａ、４０ｂ、４０ｃ、４０ｄ  傾斜面
４１        貫通孔
５０        バスバー
５１        タブ状端子
５２        端子連結部
【図１】
2020047366.tif 000003
【図２】
2020047366.tif 000004
【図３】
2020047366.tif 000005
【図４】
2020047366.tif 000006
【図５】
2020047366.tif 000007
【図６】
2020047366.tif 000008
【図７】
2020047366.tif 000009
【図８】
2020047366.tif 000010